(57)【特許請求の範囲】
【請求項１】
内容液を収容するとともに口部に雄ねじを有する容器本体と、該雄ねじに適合する雌ねじを有し該容器本体に着脱可能に装着されるキャップと、一端部が該キャップに保持されて該容器本体内に吊下げられるとともに他端部に内容液を塗布するための塗布具を有する連結部材と、該口部に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備える塗布具付容器であって、
前記連結部材及び前記キャップの何れか一方は、該連結部材及び該キャップの何れか他方の周面に押し当たって該連結部材を該キャップに対して回り止め保持する一方、前記容器本体から該キャップを取り外すにあたって該連結部材と前記しごき部材との間に所定以上の抵抗が働く際には該連結部材に対する該キャップの空転を許容する第一突起を有し、
前記キャップは、該キャップの内周面に少なくとも１つの第三突起を有し、
前記連結部材は、該キャップの内周面に向けて突出し、該キャップが該連結部材に対して空転する際に所定の抗力をもって該第三突起を乗り越えさせる第四突起を有する塗布具付容器。
【請求項２】
前記連結部材及び前記キャップの何れか他方は、前記第一突起に連係し、該連結部材を該キャップに対して抜け止め保持する第二突起を有する請求項１に記載の塗布具付容器。
【発明の詳細な説明】
【技術分野】
【０００１】
本発明は、内容液を収容する容器本体と内容液を塗布するための塗布具とを有する塗布具付容器に関する。
【背景技術】
【０００２】
従来、例えばマスカラやアイライナー等の内容液を収容する容器においては、内容液を収容する容器本体と、容器本体に着脱可能に装着されるキャップと、一端部がキャップに保持されて容器本体内に吊下げられるとともに他端部に内容液を塗布するためのブラシの如き塗布具を有する連結部材とを備える塗布具付容器が既知である。このような塗布具付容器にあっては、塗布具に付着した内容液を掻き落とし可能な弾性傾斜壁を有するしごき部材を備えるものが知られている（例えば特許文献１参照）。このようなしごき部材を備える塗布具付容器によれば、キャップを取り外す際に塗布具を弾性傾斜壁の開口から引き抜いたり、一旦引き抜いた塗布具を開口に対して挿抜したりすることによって塗布具に付着した不要な内容液を掻き落とすことができるため、適量の内容液を塗布することができる。
【先行技術文献】
【特許文献】
【０００３】
【特許文献１】特開平１１−１５５６２９号公報
【発明の概要】
【発明が解決しようとする課題】
【０００４】
この種の塗布具付容器は、特許文献１に開示されているように、容器本体とキャップとの間に雄ねじと雌ねじを設け、容器本体に対してキャップを回動させることによってキャップを取り外せるようにしている。ところでしごき部材は、塗布具の内容液を掻き落とすことによって内容液が付着するため、キャップを容器本体に装着した際には、しごき部材の内容液が連結部材にも付着してそのまま固化してしまうことがある。この状態においてキャップを容器本体から取り外すために回動させると、キャップに連動して回動する連結部材が固化した内容液を介してしごき部材を共回りさせ、これによってしごき部材が変形して容器本体から外れてしまうことがあった。特に内容液としてマスカラのような速乾性のものを用いる場合は、このような不具合が生じやすい傾向にあった。
【０００５】
本発明は、このような問題点を解決することを課題とするものであり、しごき部材に付着した内容液が連結部材との間で固化しても、容器本体からしごき部材が外れる不具合を防止することができる塗布具付容器を提供することを目的とする。
【課題を解決するための手段】
【０００６】
本発明は、内容液を収容するとともに口部に雄ねじを有する容器本体と、該雄ねじに適合する雌ねじを有し該容器本体に着脱可能に装着されるキャップと、一端部が該キャップに保持されて該容器本体内に吊下げられるとともに他端部に内容液を塗布するための塗布具を有する連結部材と、該口部に設けられ、該キャップを該容器本体に装着した状態において該連結部材を挿通させる開口を有するとともに該開口の端縁で該塗布具に付着した内容液を掻き落とし可能な弾性傾斜壁を有するしごき部材とを備える塗布具付容器であって、
前記連結部材及び前記キャップの何れか一方は、該連結部材及び該キャップの何れか他方の周面に押し当たって該連結部材を該キャップに対して回り止め保持する一方、前記容器本体から該キャップを取り外すにあたって該連結部材と前記しごき部材との間に所定以上の抵抗が働く際には該連結部材に対する該キャップの空転を許容する第一突起を有する塗布具付容器である。
【０００７】
前記連結部材及び前記キャップの何れか他方は、前記第一突起に連係し、該連結部材を該キャップに対して抜け止め保持する第二突起を有することが好ましい。
【０００８】
前記キャップは、該キャップの内周面に少なくとも１つの第三突起を有し、
前記連結部材は、該キャップの内周面に向けて突出し、該キャップが該連結部材に対して空転する際に所定の抗力をもって該第三突起を乗り越えさせる第四突起を有することが好ましい。
【発明の効果】
【０００９】
本発明の塗布具付容器にあっては、連結部材及びキャップの何れか一方に、それらの何れか他方の周面に押し当たって連結部材をキャップに対して回り止め保持する一方、容器本体からキャップを取り外すにあたって連結部材としごき部材との間に所定以上の抵抗が働く際には連結部材に対するキャップの空転を許容する第一突起を設けている。すなわち、しごき部材に付着した内容液が連結部材との間で固化しても、キャップを取り外す際には連結部材を回動させずにキャップのみを空転させることができるため、しごき部材が共回りすることがない。これにより、しごき部材の変形を防ぐことができるので、しごき部材が容器本体から外れる不具合を防止することができる。また第一突起は、通常時は連結部材をキャップに対して回り止め保持するものであるため、塗布具に付着させた内容液を塗布する際にはキャップが空転してしまうことはない。
【００１０】
連結部材及びキャップの何れか他方に第二突起を設ける場合は、連結部材をキャップに対して抜け止め保持することができる。加えて、キャップを緩めると容器本体に対してキャップが上昇するため、第一突起と第二突起の連係によって連結部材も上昇する。すなわち、連結部材を回動させずに引き上げることができるため、しごき部材に捩り変形を与えることなく連結部材としごき部材とを引き剥がすことができる。
【００１１】
キャップの内周面に少なくとも１つの第三突起を設け、連結部材に、キャップの内周面に向けて突出してキャップが連結部材に対して空転する際に所定の抗力をもって第三突起を乗り越えさせる第四突起を設ける場合は、キャップを容器本体に装着するにあたって連結部材としごき部材との間にやや強い摺動抵抗が加わっても、第三突起と第四突起とが連係することによって、キャップと連結部材とを一体的に回動させることができる。これにより、キャップが連結部材に対して空転する場合に比して、より小さな力でキャップを装着することができる。一方、内容液が固化して連結部材としごき部材との間に所定以上の抵抗が働く際には、第三突起が第四突起を乗り越えるため、キャップが連結部材に対して空転してしごき部材を変形させることがない。
【図面の簡単な説明】
【００１２】
【図１】本発明に従う塗布具付容器の一実施形態を示す側面視での半断面図である。また（ａ）は、半断面図におけるキャップと連結部材との関係を示す拡大図であり、（ｂ）は連結部材としごき部材との関係を示す拡大図である。
【図２】本発明に従う塗布具付容器の他の実施形態を示す側面視での半断面図である。
【図３】図２の拡大図に示すＡ−Ａに沿う断面図である。
【発明を実施するための形態】
【００１３】
以下、図面を参照して、本発明に従う塗布具付容器の一実施形態について説明する。なお、本明細書、特許請求の範囲、及び要約書における「上」、「下」の関係は、図１に示すように塗布具付容器を正立姿勢にした状態（容器本体が下側、キャップが上側に位置する状態）での位置関係をいう。また周方向とは、塗布具付容器の中心軸線（図１では符号Ｏで示す）を中心に周回する向きであり、径方向とは、中心軸線Ｏに直交する向きである。
【００１４】
図１に示すように本実施形態の塗布具付容器は、容器本体１、キャップ２、連結部材３、塗布具４、しごき部材５で構成されている。
【００１５】
容器本体１は有底筒状をなし、内容液を収容するものである。容器本体１に収容される内容液としては、例えばマスカラ、アイライナー、リップグロス等の化粧料の他、薬液、接着液、洗浄液等が挙げられる。本実施形態の容器本体１は、円板状の底部１ａに円筒状の胴部１ｂを連結し、更に胴部１ｂの上方に、肩部１ｃを介して胴部１ｂよりも小径になる口部１ｄを連結したものである。また口部１ｄの外周面には雄ねじ１ｅが設けられている。
【００１６】
キャップ２は有蓋筒状をなし、容器本体１に着脱可能に装着されるものである。本実施形態のキャップ２は、円筒状であって胴部１ｂに連なる形状になる外周壁２ａと、外周壁２ａの上端を塞ぐ天壁２ｂとを備えている。また外周壁２ａの内周面には、雄ねじ１ｅに適合する雌ねじ２ｃが設けられている。
【００１７】
連結部材３は、概略棒状をなすものであって、上部（連結部材３の一端部）に大径の円筒壁３ａ有するととともに円筒壁３ａの下端には円柱状の本体部３ｂを備えている。本体部３ｂは、その上部において径方向外側に向けて突き出す膨出部３ｃを備えるとともに、その下部（連結部材３の他端部）には中心軸線Ｏに沿って延在する嵌合穴３ｄを備えている。
【００１８】
また連結部材３は、図１（ａ）に示すように、フラットな面をもってキャップ２の内周面に押し当たる突起（第一突起）３ｅを備えている。そしてキャップ２は、第一突起３ｅの直下に位置し、湾曲面が円筒壁３ａの外周面に当接する突起（第二突起）２ｄを備えている。これら第一突起３ｅと第二突起２ｄとが連係することによって、連結部材３はキャップ２に抜け止めされ、容器本体１内に吊下げ保持される。またキャップ２は、円筒壁３ａの上面に当接する段部２ｅと、第一突起３ｅに対して間隔をあけてその上方に設けられ、湾曲面が円筒壁３ａの外周面に当接する突起（ガタ抑え突起）２ｆとを備えている。これにより連結部材３は、キャップ２に対してガタつき無く保持される。
【００１９】
塗布具４は、内容液を塗布するための塗布部４ａと、塗布部４ａに連結する棒状の連結部４ｂとを備えていて、連結部４ｂを嵌合穴３ｄに挿入して連結部材３に保持される。塗布部４ａは、例えばブラシ状、スポンジ状、筆状に設けられるものであって、内容液の種類や内容液を塗布する部位に応じて最適なものが適宜選択される。
【００２０】
しごき部材５は容器本体１の口部１ｄに設けられるものであって、例えばゴムやエラストマーの如き軟質部材で形成されている。またしごき部材５は、径方向内側に向かうにつれて下向きに傾斜する弾性傾斜壁５ａを備えていて、弾性傾斜壁５ａの中央部には、図１（ｂ）に示すように、キャップ２を容器本体１に装着した状態において連結部材３の本体部３ｂを挿通させる開口５ｂが設けられている。このような弾性傾斜壁５ａによれば、キャップ２を取り外して塗布具４を開口５ｂから引き抜いたり、一旦引き抜いた塗布具４を開口５ｂに対して挿抜したりすることによって、塗布具４に付着した不要な内容液を開口５ｂの端縁で掻き落とすことができる。またキャップ２を容器本体１に装着した状態においては、連結部材３の膨出部３ｃが弾性傾斜壁５ａに沿うように位置しているため、弾性傾斜壁５ａが捲れて変形してしまう不具合が防止できる。
【００２１】
またしごき部材５は、口部１ｄの内周面に沿って延在する円筒状の筒状壁５ｃを備えていて、弾性傾斜壁５ａは、筒状壁５ｃの内周面に一体に連結している。筒状壁５ｃは、その下端部において肩部１ｃの内面に係合する爪部５ｄを一体に連結しており、またその上端部には、径方向外側に延在して口部１ｄの上端部に被さるフランジ５ｅを一体に連結している。そしてフランジ５ｅの上部には、図１（ｂ）に示すように、キャップ２を容器本体１に装着した状態において、押し潰されるようにして円筒壁３ａの下面に密着し、容器本体１の内部を気密に保持するシール部５ｆが設けられている。なお、仮想線で示す図１（ｂ）のシール部５ｆは、キャップ２を装着する前（押し潰される前）の状態を示している。
【００２２】
本実施形態の塗布具付容器によれば、第一突起３ｅがフラットな面をもってキャップ２の内周面に押し当たるため、キャップ２に対して連結部材３が回り止め保持される。一方、キャップ２を容器本体１から取り外すにあたってキャップ２を回動させる際、しごき部材５に付着した内容液が連結部材３との間で固化していると、連結部材３には固化した内容液を介してしごき部材５からの抵抗が働くため、連結部材３に対してキャップ２が空転する。すなわち、キャップ２の回動に伴うしごき部材５の共回りを防ぐことができるため、しごき部材５の変形が抑えられて容器本体１から外れにくくなる。本実施形態のしごき部材５は、図１に示すように爪部５ｄとフランジ５ｅによって中心軸線Ｏに沿う動きが規制されるため、容器本体１から外れてしまう不具合がより起きにくくなる。なお、キャップ２に対して連結部材３を回り止めする一方、連結部材３としごき部材５との間で内溶液が固化する際にはキャップ２を空転させる機能は、第一突起３ｅの面積や押し当て量を変えることによって最適な状態に調節することが可能である。
【００２３】
次に、本発明に従う塗布具付容器の他の実施形態について、図２、図３を参照しながら説明する。なお、前述の実施形態と同一の機能を有する部位は、図面中に同一の符号を付して詳細な説明は省略する。
【００２４】
本実施形態の第一突起３ｅは、前述の実施形態での第一突起３ｅに対してフラットな面を小さくしている。なお、この場合であっても塗布具４で内溶液を塗布する際には、キャップ２に対して連結部材３が回り止めされるようにしている。またキャップ２の内周面には、径方向内側に向けて湾曲しつつ突出する突起（第三突起）２ｇが少なくとも１つ（本有実施形態では、図３に示すように周方向に間隔をあけて合計８つ）設けられている。そして連結部材３の外周面には、キャップ２の内周面に向けて突出する突起（第四突起）３ｆが設けられている。ここで第四突起３ｆは、中心軸線Ｏに沿って延在する縦リブ状に設けられている。また第三突起２ｇと第四突起３ｆとは、キャップ２が連結部材３に対して空転する際に所定の抗力をもって乗り越えられるようにそれらの突出量が調整されている。
【００２５】
このような形態になる塗布具付容器によれば、キャップ２を容器本体１に装着するにあたって連結部材３としごき部材５との間にやや強い摺動抵抗が生じると、第一突起３ｅがキャップ２の内周面に対してスリップするおそれがあるものの、所定の抗力をもって第三突起２ｇと第四突起３ｆとが連係するため、キャップ２とともに連結部材３を回動させることができる。すなわち、キャップ２を容器本体１に装着するにあたって連結部材３に対してキャップ２が空転してしまうと、キャップ２と連結部材３とがそれぞれ別の動きをすることになるため（キャップ２は中心軸線Ｏを中心に回動するが、連結部材３は回動することなく中心軸線Ｏに沿って下降する）、ロスが生じて余計な力が必要になるが、本実施形態のように第三突起２ｇと第四突起３ｆとが連係する場合は、キャップ２と連結部材３とが一体的に動くので、より小さな力でキャップ２を締めることができる。なお、キャップ２を容器本体１から取り外すにあたり、しごき部材５に付着した内容液が固化して連結部材３としごき部材５との間に所定以上の抵抗が働く際には、第三突起２ｇが第四突起３ｆを乗り越えてキャップ２が連結部材３に対して空転するため、しごき部材５変形を防止することができる。
【００２６】
本発明である塗布具付容器は、これまでに述べた実施形態に限定されるものではなく、特許請求の範囲に従う範囲で種々の変更を加えたものも含むものである。例えば、連結部材３に設けた第一突起３ｅをキャップ２に設けるとともにこれを連結部材３の外周面（円筒壁３ａの外周面）に押し当てるようにし、キャップ２に設けた第二突起２ｄを連結部材３に設けるようにしてもよい。この場合にあっては、連結部材をキャップに対して抜け止めさせるため、連結部材の第二突起は、キャップの第一突起に対してその直上に設けるようにすることが好ましい。また、図１に示す実施形態において、キャップ２に設けたガタ抑え突起２ｆは連結部材３に設けてもよい。また図２に示す実施形態において、第四突起３ｆは縦リブ状であるが、中心軸線Ｏに沿う長さを短くして第三突起２ｇと同程度にしてもよい。
【符号の説明】
【００２７】
１：容器本体
１ａ：底部
１ｂ：胴部
１ｃ：肩部
１ｄ：口部
１ｅ：雄ねじ
２：キャップ
２ａ：外周壁
２ｂ：天壁
２ｃ：雌ねじ
２ｄ：第二突起
２ｅ：段部
２ｆ：ガタ抑え突起
２ｇ：第三突起
３：連結部材
３ａ：円筒壁
３ｂ：本体部
３ｃ：膨出部
３ｄ：嵌合穴
３ｅ：第一突起
３ｆ：第四突起
４：塗布具
４ａ：塗布部
４ｂ：連結部
５：しごき部材
５ａ：弾性傾斜壁
５ｂ：開口
５ｃ：筒状壁
５ｄ：爪部
５ｅ：フランジ
５ｆ：シール部
Ｏ：塗布具付容器の中心軸線
【図１】
0006667244.tif 000002
【図２】
0006667244.tif 000003
【図３】
0006667244.tif 000004